(57)【特許請求の範囲】
【請求項１】
本体胴部と、額部に接触する本体接額部とを有する本体が、前記額部に装着されると、前記額部と帽子のクラウン部の内側下縁部との間に額部空洞が形成され、前記額部空洞の本体前部に形成された本体前開口部から取り入れられた空気が、前記額部空洞の本体後部に形成された本体後開口部から排出されるように構成されているとともに、
前記本体から前部側に延びて形成された庇部が庇部空洞部を有し、前記庇部空洞部に形成された庇部吸気開口部から取り入れられた空気が、前記庇部空洞部の帽子下縁部側に形成された庇部排気開口部から排出された後、前記本体前部から前記額部空洞に導かれるように構成されている
ことを特徴とする帽子用通気補助具。
【請求項２】
前記本体後部から延長して形成された本体排気部が本体排気部空洞部を有し、前記本体排気部空洞部に形成された本体排気部吸気開口部から取りいれられた空気が、前記本体排気部空洞部に形成された本体排気部排気開口部から排出されるように構成されていることを特徴とする請求項１に記載の帽子用通気補助具。
【請求項３】
前記本体排気部排気開口部がクラウン部の上部において外側に開口するように構成されていることを特徴とする請求項２に記載の帽子用通気補助具。
【発明の詳細な説明】
【技術分野】
【０００１】  本発明は、帽子のクラウン部の内側に外気を取り込み、クラウン部の内側の通気を良くし、帽子使用者の頭の蒸れを防止する帽子用通気補助具に関するものである。
【背景技術】
【０００２】  クラウン部の内側に外気を取り込み、クラウン部の内側の通気を良くし、蒸れを解消するために考案された帽子は現在ある。【０００３】  従来の帽子では、汗取りバンド等により構成された、クラウン部の内側の下縁部が、使用者の額部、側頭部、後頭部と密着するので、クラウン部の内側に外気が入りづらく、その結果頭が蒸れ、使用者は不快を感じた。
クラウン部の内側の通気を良くするために、網の目状の素材でクラウン部を形成している帽子もあるが、クラウン部の額部を覆う部分は、正面から見た帽子の形を崩さないという目的のため、また刺繍等が奇麗に見えるようにという目的のため、裏から補強の素材があてがわれ、その結果、網の目状の素材でクラウン部を形成している帽子であっても、額部の通気の悪い帽子が多かった。
額部には、高温時に発汗し、その汗が蒸発するときに発生する気化熱で額部の温度を下げ、ひいては頭部全体の温度調整を行うという大切な役目があった。しかしながら、帽子を使用すると、髪の毛が生えていない額部では、帽子の下縁部との密着度が高いため通気が悪く、汗が蒸発しづらく、結果的に頭部の温度調節がうまくおこなわれなかった。
頭部のほとんどがクラウン部に覆われていないサンバイザーであっても、サンバイザー下縁に形成された汗取りバンド等が使用者の額部と密着するので、額部における空気の流通がなく、不快を感じた。
また、帽子の庇部は、若干斜め下向きに形成されているので、正面からの空気を庇部の上側に逃がすことが多く、その結果庇部の下側奥に位置する額部付近の空気の流通は良くなかった。この問題を回避するため、遮光のため庇部が正面に必要であるにもかかわらず、庇部を後側にした状態で帽子を被ることもあった。このような理由で、額部における通気性の良い帽子が望まれていた。
また、クラウン部の内側から外側に排気を導くルートを確保することは、クラウン部の内側へ効率良く外気を送り込めるか否かに影響してくるが、十分な排気ルートを確保していない帽子が多かった。【０００４】  特許文献１のタイプでは、帽子の内側に通気孔が設けてあり、この通気孔から入った外気が、帽子内側（額部を除く）の空気の流通を良くする効果はあった。
しかしながら、この通気孔には使用者の額部に接触する位置に開口部がないので、額部は帽子とは密着しない代わりに通気孔自体と密着してしまい、外部から取り込まれた空気が額部に直接当たることができず、気化熱による額部の温度調整が望めないという欠点があった。
また、使用者の動きと共に庇が前方に移動した場合、先端が下方に延びている構造上、庇の上側に勢いの良い空気の流れが生じ、庇の下側にはそれほどの空気の流れは生じない。上記特許文献１のタイプでは、空気の取り入れ口が、空気の流れの少ない庇の下側の、さらに一番奥に開口していることに加え、取り入れ口が下方に開いているという構成のため、クラウン部の内側に外気を効率よく送りこむことが出来ないという欠点があった。
また、同文献では、帽子のヒサシの内側の額に当たる部分に凸部を設け、額と帽子の間に空間を作っている帽子も紹介されているが、単に空間を空けているだけでは、前髪が隙間を塞ぐことも考えられ、外気の取り入れ口である空間を確実に保持する構造になっていないという欠点があった。
また、このタイプでも、空気の取り入れ口は庇の下側の、さらに一番奥に、下向きに開口しており、外部にせり出しているわけではないので、外気の積極的な帽子内への取りこみが望めなかった。
また、クラウン部の内側から外側に空気を導くルートに関しては、特に考慮されていない。【０００５】  また、特許文献２のタイプでは、クラウン部の内側と汗取りバンドとの間に、外気を取り入れるための開口部としての通気部が、通気性を有する通気帯によって形成されているが、このタイプでも、空気の取り入れ口が、庇の下側の、さらに一番奥に位置し、さらに下向きに開口しており、空気の流れて来る方に向かって開口している構造ではないので、外気の積極的な帽子内への取りこみが望めなかった。
さらに、汗取りバンドが額部と直接接触する額部における蒸れは解消されないという欠点があった。
【先行技術文献】
【特許文献】
【０００６】
【特許文献１】実開平６−５９４２８号公報
【特許文献２】実用新案登録第３１２１４３０号公報
【発明の概要】
【発明が解決しようとする課題】
【０００７】  従来、帽子を使用すると、髪の毛が生えていない使用者の額部は、汗取りバンド等によりクラウン部の内側下部と密着するために空気の流通がなく、その結果汗が蒸発しづらいので温度が上昇し、使用者は不快になることがあった。【０００８】  本発明の目的は斯かる課題に鑑みてなされたもので、上記課題を解決することができる帽子用通気補助具を提供することである。
【課題を解決するための手段】
【０００９】このような目的を達成するために、本発明の帽子用通気補助具は、本体胴部と、額部に接触する本体接額部とを有する本体が、前記額部に装着されると、前記額部と帽子のクラウン部の内側下縁部との間に額部空洞が形成され、前記額部空洞の本体前部に形成された本体前開口部から取り入れられた空気が、前記額部空洞の本体後部に形成された本体後開口部から排出されるように構成されているとともに、
前記本体から前部側に延びて形成された庇部が庇部空洞部を有し、前記庇部空洞部に形成された庇部吸気開口部から取り入れられた空気が、前記庇部空洞部の帽子下縁部側に形成された庇部排気開口部から排出された後、前記本体前部から前記額部空洞に導かれるように構成されている
ことを特徴とする。
このため、使用者の進行方向に向かって外部にせり出している前記庇部に形成された前記庇部吸気開口部から効果的に取り込まれた外気が、前記本体前部から、クラウン部の内側下縁部と額部とが密着することを防いでいる前記額部空洞に導かれ、額部に直接当たり、発汗により温まった湿度の高い空気を取り除き、額部の温度上昇を緩和し、帽子の快適な使用を可能にする。
また、本発明は、前記本体後部から延長して形成された本体排気部が本体排気部空洞部を有し、前記本体排気部空洞部に形成された本体排気部吸気開口部から取りいれられた空気が、前記本体排気部空洞部に形成された本体排気部排気開口部から排出されるように構成されていることを特徴とする。
このため、気化熱で温まった前記額部空洞内の空気を、クラウン部の外側に排出するための排気ルートが確実に保持されるので、前記額部空洞内の空気の流通がスムーズになり、結果的に額部の温度上昇を効率よく緩和することができる。
また、本発明は、前記本体排気部排気開口部がクラウン部の上部において外側に開口するように構成されていることを特徴とする。
このため、前記本体後開口部と前記本体排気部排気開口部との距離が短いので、前記額部空洞内の空気の効率の良い排出が期待できる。
【発明の効果】
【００１０】  本発明の帽子用通気補助具を使用すると、本体から庇状に突き出た庇部に形成された
外気取り入れ口から取り込まれた外気が、  本体前部から、クラウン部の内側下縁部と額部とが密着することを防いでいる額部空洞に導かれ、額部に直接当たり、発汗により温まった湿度の高い空気を取り除き、額部の温度上昇を緩和し、帽子の快適な使用を可能にする。
また、本発明の帽子用通気補助具では、クラウン部の内側から外側に排気を導くルートが確保されているので、クラウン部の内側から外側へのスムーズな排気と、クラウン部の内側への効率の良い吸気が期待できる
また、本発明の帽子用通気補助具では、本体後開口部と本体排気部排気開口部との距離が短いので、額部空洞内の空気の効率の良い排出が期待できる。【００１１】  以上のように、本発明の帽子用通気補助具を利用すると、帽子使用者の額部付近で発生した湿度及び温度の高い空気が効率よく取り除かれ、額部の温度上昇が緩和され、帽子の快適な使用が可能になる。
【図面の簡単な説明】
【００１２】
【図１】本発明の第１の参考例の帽子用通気補助具を示す底面斜視図である。
【図２】図１に示す本発明を、庇付き帽子と共に使用した場合の断面図である。
【図３】（ａ）本発明の第１の参考例の第１の変形例を示す底面斜視図である。（ｂ）本発明の第１の参考例の第２の変形例を示す底面斜視図である。（ｂ´）本発明の第１の参考例の第３の変形例を示す底面斜視図である。（ｃ）本発明の第１の参考例の第３の変形例を示す底面斜視図である。
【図４】本発明の第１の参考例の第４の変形例を示す底面斜視図である。
【図５】本発明の第１の参考例の第５の変形例を示す底面斜視図である。
【図６】（ａ）は図５に示す帽子用通気補助具に、本体接額脚部が複数形成された場合の底面斜視図である。（ｂ）は、図６（ａ）をＹ方向から見た前面正面図の第１の例である。（ｂ´）は、図６（ａ）をＹ方向から見た前面正面図の第２の例である。（ｂ´´）は、図６（ａ）をＹ方向から見た前面正面図の第３の例である。（ｃ）は、図６（ａ）に示す本体接額脚部の変形例の底面斜視図である（ｄ）は、図６（ａ）に示す本体接額脚部に、ネットが形成された場合の底面斜視図である。
【図７】（ａ）は、本発明の第２の実施例を示す底面斜視図である。（ｂ）は、図７（ａ）に示す第２の実施例の第１の変形例を示す底面斜視図である。
【図８】（ａ）は、本発明の第２の実施例の第１の使用例を示す断面図である。（ｂ）は、本発明の第２の実施例の第２の使用例を示す断面図である。
【図９】（ａ）は、本発明の第２の実施例の第１の変形例を示す前面斜視図である。（ｂ）は、図９（ａ）の底面斜視図である。
【図１０】（ａ）は、本発明の第３の実施例を示す前面斜視図である。（ｂ）は、図１０（ａ）のＡ部をクラウン内から見た拡大図である。
【図１１】（ａ）は、本発明の第３の実施例の第１の変形例を示す底面斜視図である。（ｂ）は、本発明の第３の実施例の第２の変形例を示す前面斜視図である。（ｃ）は、Ｚ部の庇部吸気開口部の拡大図である。（ｄ）は、図１１（ｃ）におけるＤ−Ｄ’の断面図である。
【発明を実施するための最良の形態】
【００１３】  以下、図面を参照して、本発明の一実施形態を説明する。【００１４】  図１に示すように、帽子用通気補助具１は、本体胴部２ＤＢと、本体胴部２ＤＢと一体的に形成され、額部に接触する複数の本体接額部２Ｇとを有する本体２を備える。
本体接額部２Ｇが互いに離間していることで、本体２に開口部あるいは開いた空間（空洞）が形成される。
開口部を額部に向けて本体２を額部にセットすると、本体接額部２Ｇと本体胴部２ＤＢと額部とで額部空洞２２が形成される。
本体胴部２ＤＢは帽子のクラウン部の前部裏側に接するので、図１に示すように、湾曲しているのが望ましいが、形状は特に限定されない。【００１５】  本発明の帽子用通気補助具１を使用する手順としては、図２に示すように、本体前部２Ｄを下に、なおかつ本体接額部２Ｇの側を額に当てて、帽子用通気補助具１を帽子と額の間に差し込むと、本体２と額部とで、額部空洞２２と、本体前開口部２ＤＤと、本体後開口部２ＥＥとが形成される。本体前部２Ｄがクラウン部の内側に入ってしまわない位置にセットすると、本体前開口部２ＤＤから取り込まれた外気は、額部空洞２２で額と接触した後、額部の発熱、発汗により高温、高湿度になった額部空洞２２内の空気と共に本体後部２Ｅに位置する本体後開口部２ＥＥから排出される。【００１６】  本体２とクラウン部の裏面とを、マジックテープ等で着脱可能に固定しても良い。【００１７】  本発明の帽子用通気補助具１を使用する事ができる帽子としては、野球帽、鍔付きハット、ニットキャップ、サンバイザー、頭に被るスカーフ等、被り物と額部が直接接触するものであれば種類を問わない。【００１８】  本体２の大きさ及び形状は一様でなく、図３（ａ）に示すように、短めにした一般的なストローを、縦に削除することで開口部（スリット）を形成したような形状をしたものでも良い。また、図３（ｂ）に示すように、縦に一部のみを削除することで、スリット状ではない開口部を形成しても良い。
この場合、本体接額部２Ｇの一部は、後述する図６（ｂ）、（ｂ´）、（ｂ´´）、（ｃ）と同様に、面状で額部と接する事になる。
また、本体接額部２Ｇは、図３（ｂ´）に示すように、網の目状に形成されても良い。【００１９】  一本の本体２では通気効果が少ない場合は、図３（ｃ）に示すように、開口部が同一面に揃うように、横に本体２を複数本連ねて帽子用通気補助具１を構成しても良い。横に連ねた形状がばらけてしまい不都合である場合には、開口部を塞がない方法で、互いを結合させても良い。
後述するネットの作用などで、横に連ねた帽子用通気補助具１の形状がばらける恐れのない時は、敢えて結合する必要はない。【００２０】  単体の本体２に、図４に示すように、本体胴部２ＤＢから立ちあがって、一端に本体接額部２Ｇを有する本体接額脚部２Ｋが形成されても良い。本体接額脚部２Ｋの個数、長さ、形状、配置の仕方等は特に限定されないが、額部に接する部分の面積が小さいと、額部における通気の悪い部分が少なくなるので望ましい。本体２が複数の本体接額脚部２Ｋを有し、隣り合う本体接額部２Ｇ同士の間隔が一般的なプラスチック製のストローくらいの小幅であると、額部と接触する本体接額部２Ｇの箇所が増えるので、一つの本体接額部２Ｇあたりの額部に対する圧が少なくなり、本発明装着時の違和感が少ない。
適度に数多く形成された本体接額脚部２Ｋは、本体２を額部にセットした結果形成される額部空洞２２の形状保持に役立つ。【００２１】  本体胴部２ＤＢの両端には、図５に示すように、本体胴部２ＤＢから例えば略直角に角度をつけて立ちあがった、一端に本体接額部２Ｇを有する本体接額脚部２Ｋが形成されていても良い。
また、同じく図５に示すように、本体接額部２Ｇは、帽子用通気補助具１装着時に、使用者の額部に与える、圧力による違和感を少なくするために、面状に形成されても良い。【００２２】  また、図６に示すように、本体胴部２ＤＢの両端以外の場所において、本体接額脚部２Ｋが本体胴部２ＤＢから角度をつけて、例えば略直角に立ちあがって形成されても良い。
１つの本体２に本体接額脚部２Ｋが複数本形成され、本体接額部２Ｇ一つ当たりの額部に与える圧力が少ない時は、本体接額部２Ｇは面状に形成されなくても良い。【００２３】  本体接額脚部２Ｋは、図６（ａ）のＹ方向から見た脚部の形状が、図６（ｂ）に示すようにアーチ型であるように形成されても良い。  また、図６（ｂ）に示されたアーチの形は一様ではなく、例えば図６（ｂ´）に示されるように矩形でも良く、図６（ｂ´´）に示されるようにＣ字形でも良く、また、曲線で出来たアーチの額部に接触する上部が水平であるような形状でも良い。
本体接額脚部２Ｋがアーチ型である場合は、本体前開口部２ＤＤに本体接額脚部２Ｋのアーチが開口するので、後述する庇部排気開口部３３から排出された外気の一部は、図６（ｃ）で示される本体接額脚部アーチ空洞２ＫＡに取り込まれ、その後本体後部２Ｅに形成された本体後開口部２ＥＥから排出される。【００２４】  図６（ａ）、（ｃ）に示すように、本体接額脚部２Ｋに本体接額脚部通気孔２ＫＴが形成されていても良い。本体接額脚部アーチ空洞２ＫＡと額部空洞２２との間の空気の流通は本体接額脚部通気孔２ＫＴを通じて行われる。  また、図６（ｃ）に示すように、額部と接する面状の本体接額部２Ｇに形成された本体接額部通気孔２ＧＴでは、本体接額脚部アーチ空洞２ＫＡに取り込まれた外気が直接額部に当たることができる。
また、図６（ａ）、（ｃ）に示すように、本体胴部２ＤＢに本体通気孔２Ｔが形成されていても良い。必ずしも平面で構成されてはいない本体胴部２ＤＢとクラウン部の裏面前部との間に形成された空間と、額部空洞２２との間の空気の流通は本体通気孔２Ｔを通じて行われる。  クラウン部が風通しの良いメッシュの様な素材で作成され、外気がクラウン部の外側前部（額側）からクラウン部の内側に入ってくる場合は、その外気を本体通気孔２Ｔから額部空洞２２に取り入れる。【００２５】  また、図６（ｄ）に示すように、複数の本体接額脚部２Ｋを全体的に覆うネット２Ｎを形成してもよい。本体接額脚部２Ｋ同士の間隔が広く、使用者の前髪が額部空洞２２に入りやすい場合は、額部空洞２２を確保するためにネット２Ｎを張るのが望ましい。
ネット２Ｎを張ると、使用者は、額部に本体接額部２Ｇとのソフトな接触感を得ることができるとともに、ネット２Ｎが若干の汗を吸収するので、汗取りバンドの代わりとなる。ネット２Ｎに吸収された汗は、額部空洞２２を流れる空気が蒸発させ、額部の温度を下げる。【００２６】  また、本発明を形成する素材は軽金属、プラスチック、グラスファイバー、化学繊維等、特に限定されないが、軽く、薄く、形状が崩れにくく、なお且つ丈夫な素材で形成されるのが望ましい。
本体接額部２Ｇは、本発明の使用時の、額部における感触に大きく作用するので、特に当たりが柔らかく、使用に際しての違和感がないように形成されるのが望ましい。【００２７】  また、図７（ａ）に示すように、本体前部２Ｄから本体胴部２ＤＢが延長して、内部に庇部空洞部３１を持つ庇部３が形成されていても良い。
庇部空洞部３１に形成された庇部吸気開口部３２から取りいれられた外気は、庇部空洞部３１の後部に形成された庇部排気開口部３３から排出された後、本体２に導かれ、額部と共に形成された額部空洞２２において、額部に当たる。
庇部排気開口部３３から排出された外気が効率よく本体２に導かれるように、庇部排気開口部３３は本体前部２Ｄに隣接して形成されるのが望ましい。
本体前部２Ｄにおいて、庇部排気開口部３３と本体接額脚部２Ｋの端部とが、隙間をあけずに接続していても良い。この場合には、図９（ａ）、（ｂ）に示すように、庇部排気開口部３３と本体前開口部２ＤＤは接続する。【００２８】  外気を取り込むための庇部吸気開口部３２は、図７（ａ）に示すように、庇部３の先端に形成されていてもよいし、図１１（ｂ）に示すように、庇部３の表側（上側）に形成されていてもよいし、また図７（ｂ）に示すように、庇部３の裏側（下側）に形成されていてもよい。
さらに庇部吸気開口部３２は、一つの本発明の帽子用通気補助具１の複数箇所に複数個形成されていてもよい。
また、庇部吸気開口部３２の大きさ、および形状は特に限定されないが、庇部３の表側（上側）、又は裏側（下側）に形成される庇部吸気開口部３２は、図１１（ｂ）、図１１（ｃ）のＺ部の拡大図、および図１１（ｄ）のＺ部のＤ−Ｄ’の断面図に示すように、庇部吸気開口部３２が前方に向いて形成されていると効率の良い外気取り入れが可能なので望ましい。【００２９】  図７（ａ）、（ｂ）に示すように、庇部空洞部３１には、空洞の形状を保持するための補強として、庇部空洞部間仕切３４が庇部吸気開口部３２から庇部排気開口部３３に向かう空気の流れを妨げないように、形成されていても良い。【００３０】  野球帽のように、庇のある帽子と共に庇部３を持つ本発明を使用する場合は、本体２を帽子と額との間に差し込み、帽子の庇部と本発明の庇部３とを、マジックテープやクリップ等で着脱可能に固定しても良い。また、ニットキャップのような庇部のない帽子と共に庇部３を持つ本発明を使用する場合は、本体２を、帽子と額の間に差し込み、本体２をマジックテープやクリップ等で帽子に着脱可能に固定しても良い。【００３１】  また、庇部３を持つ本発明を使用する場合、庇部排気開口部３３がクラウン部の外側に開口するように本体２を帽子と額との間へ差し込むと、図８（ａ）の外気の流れを現す矢印が示すように、庇部吸気開口部３２から取り込まれた外気の一部はクラウン部の外側の額部に当たり、残部は本体前開口部２ＤＤから額部空洞２２に取り込まれ、クラウン部の内側の額部に当たる。  クラウン部の外側の額部にも、またクラウン部の内側の額部にも庇部排気開口部３３から取りいれた外気を当てたい場合はこの方法でセットすると良い。
また、図７（ｂ）に示すように、庇部３の後部が若干上向きに湾曲して形成され、そこに位置する庇部排気開口部３３が、クラウン部の内側に入り込むようにして、本体２を帽子と額との間に差し込むと、図８（ｂ）の外気の流れを現す矢印が示すように、庇部吸気開口部３２から取り込まれた外気は、全て本体前開口部２ＤＤから額部空洞２２に取り込まれ、クラウン部の内側の額部に当たる。クラウン部の内側の額部にだけ通気をしたい場合はこの方法でセットすると良い。
また、図９（ｂ）に示すように、庇部排気開口部３３を、庇部空洞部間仕切３４に合わせて凹凸をつけて形成し、図９（ａ）に示すように排気開口部３３の凸部だけがクラウン部の内側に含まれるようにセットすると、図９（ａ）の外気の流れを現す矢印が示すように、庇部吸気開口部３２から取り込まれた外気の一部が、確実にクラウン部の内側の額部に当たる。【００３２】  庇部３は、本体２に接続せず、独立して単体として形成されても良い。一つの帽子に、本体２を使用せず庇部３を単体として使用する場合は、図８（ａ）と同様に庇部排気開口部３３がクラウン部の外側に開口しても良いし、若干上向きに湾曲して形成された庇部３の後部に形成された庇部排気開口部３３をクラウン部の内側に差し込み、庇部排気開口部３３をクラウン部の内側に開口させても良い。
また、前述したように、凹凸をつけて形成された庇部排気開口部３３の一部のみがクラウン部の内側に含まれるようにセットし、庇部吸気開口部３２から取り込まれた外気の一部がクラウン部の内側に取り込まれるようにしても良い。【００３３】  本発明の本体後開口部２ＥＥから排気された空気は、クラウン部の素材の網の目の隙間や、頭頂部付近に形成された排気用の小さな穴や、後頭部に形成されたサイズ調整ベルト付近の隙間等から自然排気される。【００３４】クラウン部に隙間が少なく、本体後開口部２ＥＥから排気された空気がクラウン部の外側に排気されにくい場合は、図１０（ａ）に示すように、本体後部２Ｅから延長して本体排気部吸気開口部４４と本体排気部排気開口部４５を備えた本体排気部４３Ａが形成されても良い。
図１０（ｂ）に示すように、本体排気部４３Ａには、空洞の形状を保持するための補強として、本体排気部吸気開口部４４から本体排気部排気開口部４５に向かう空気の流れを妨げないように、本体排気部空洞部間仕切４６が形成されていても良い。
このように本体排気部４３Ａが形成されると、額部空洞２２内の温まった空気をクラウン部の外側に排出するための排気ルートが確実に保持されるので、額部空洞２２内の空気の流通がスムーズになり、結果的に額部の温度を効率よく下げることができる。【００３５】  図１０（ａ）、（ｂ）に示すように、本体排気部吸気開口部４４が、本体後開口部２ＥＥから排出された空気が効率よく本体排気部空洞部４３に導かれるように、本体後開口部２ＥＥに隣接して形成されるのが望ましく、また、本体排気部排気開口部２５がクラウン部の外側に開口するように形成されているのが望ましい。
また、本体排気部４３Ａが左右に分かれ、本体排気部排気開口部４５が左右の側頭部の帽子の縁に開口している構成を示す図１０（ａ）は一例であって、クラウン部のどこの部分に本体排気部排気開口部４５が開口するかは特に限定されない。図１１（ａ）には、本体排気部排気開口部４５がクラウン部の後部に開口されている例が示されている。【００３６】  本体排気部４３Ａはマジックテープ等でクラウン部の裏側に着脱可能に固定されていても良い。
また、柔軟性を持つ素材で形成された本体排気部４３Ａが、例えば蛇腹により可動性を持ち、本体排気部排気開口部４５のクラウン部の内側での位置を変えることができるように構成されても良い。【００３７】  また、クラウン部の内側の色々な場所の蒸れた空気を本体排気部空洞部４３に取り入れる為に、図１１（ａ）に示すように、本体排気部吸気開口部４４は本体排気部空洞部４３の前部以外の場所に開口されていても良い。
また、同様の目的で、本体排気部４３Ａの頭部と接する面は、ネット状に形成されていても良い。【００３８】  本体排気部４３Ａは、本体２に接続せず、独立して、単体として形成されても良い。【００３９】  本発明は、帽子の一部として、製造過程から帽子に組み込まれていても良い。
本体２、庇部３、本体排気部４３Ａは、それぞれ単体で組み込まれても良いし、本体２と庇部３、本体２と本体排気部４３Ａ、庇部３と本体排気部４３Ａ、本体２と庇部３と本体排気部４３Ａのように、何れの組み合わせで組み込まれても良い。【００４０】  本体２が製造過程から帽子に組み込まれる場合は、本体胴部２ＤＢがクラウン部の裏面に固定される。
庇部３が製造過程から帽子に組み込まれる場合は、帽子の庇が内部に空洞を持ち、庇の前側、上側、下側の何れかの箇所に庇部吸気開口部３２が形成される。
本体排気部４３Ａが製造過程から帽子に組み込まれる場合は、本体排気部４３Ａがクラウン部の裏面に固定される。本体排気部排気開口部４５がクラウン部の内側で位置を変えることができるように構成される場合は、本体排気部４３Ａの一部がクラウン部の裏面に固定される。
図１１（ａ）に、本体２と庇部３と本体排気部４３Ａとを備えた本発明が製造過程から帽子に組み込まれた一例を示す。【００４１】  また、庇部３を持つ本発明が製造過程から帽子に組み込まれる場合、図１１（ｂ）に示すように、空気の流れが盛んな庇部３の表側（上側）の、且つ額部に近い位置に庇部吸気開口部３２を形成すると、外気の庇部空洞部３１への取り入れと、取り入れられた外気の額部空洞２２への導きを効率良く行うことができる。【００４２】  図１１（ｂ）には、本発明が帽子の一部として製造過程から帽子に組み込まれる場合で、本体排気部排気開口部４５がクラウン部の上部において外側に開口するように構成された例が示されている。本体後開口部２ＥＥと本体排気部排気開口部４５との距離が短いので、額部空洞２２内の空気の効率の良い排出が期待できる。
【符号の説明】
【００４３】１                          帽子用通気補助具
２                          本体
２ＤＢ                      本体胴部
２Ｔ                        本体胴部通気孔
２Ｇ                        本体接額部
２ＧＴ                      本体接額部通気孔
２Ｋ                        本体接額脚部
２ＫＴ                      本体接額脚部通気孔
２ＫＡ                      本体接額脚部アーチ空洞
２Ｄ                        本体前部
２ＤＤ                      本体前開口部
２Ｅ                        本体後部
２ＥＥ                      本体後開口部
２２                        額部空洞
２Ｎ                        ネット
３                          庇部
３１                        庇部空洞部
３２                        庇部吸気開口部
３３                        庇部排気開口部
３４                        庇部空洞部間仕切
４３Ａ                      本体排気部
４３                        本体排気部空洞部
４４                        本体排気部吸気開口部
４５                        本体排気部排気開口部
４６                        本体排気部空洞部間仕切
【要約】
【課題】従来、帽子を使用すると、使用者の額部とクラウン部の内側下部とが密着するため、額部における空気の流通がなく、額部の温度が上昇し、不快になることがあった。
【解決手段】本体胴部２ＤＢと、額部に接触する本体接額部２Ｇとを有する本体２が、前記額部に装着されると、前記額部と前記本体２との間に額部空洞２２が形成され、前記額部空洞２２の本体前部２Ｄに形成された本体前開口部２ＤＤから取り入れられた空気が、額部空洞２２で額と接触した後、額部の発熱、発汗により高温、高湿度になった額部空洞２２内の空気と共に前記額部空洞２２の本体後部２Ｅに形成された本体後開口部２ＥＥから排出される。
【選択図】図９【図１】
0005388017.tif 000002
【図２】
0005388017.tif 000003
【図３】
0005388017.tif 000004
【図４】
0005388017.tif 000005
【図５】
0005388017.tif 000006
【図６】
0005388017.tif 000007
【図７】
0005388017.tif 000008
【図８】
0005388017.tif 000009
【図９】
0005388017.tif 000010
【図１０】
0005388017.tif 000011
【図１１】
0005388017.tif 000012